(57)【特許請求の範囲】
【請求項１】
道糸に枝糸を介して疑似餌を取付けた釣用仕掛けであって、前記疑似餌の一端側と他端側との互いに離隔した位置に枝糸を取り付け、これらの疑似餌の一端側と他端側とのそれぞれから延びる枝糸を、互いに間隔をおいた位置で前記道糸に取付けたことを特徴とする釣用仕掛け。
【請求項２】
前記疑似餌の一端側と他端側とのそれぞれから延びる枝糸は、道糸に回動可能に取付けられることを特徴とする請求項１に記載の釣用仕掛け。
【請求項３】
前記疑似餌はイカ角であることを特徴とする請求項１または２に記載の釣用仕掛け。
【発明の詳細な説明】
【技術分野】
【０００１】
本発明は、道糸に枝糸を介して疑似餌を取付けた釣用仕掛けに関する。
【背景技術】
【０００２】
従来、道糸に枝糸を介して疑似餌を取付けた釣用仕掛けには、種々のものが開発されている。例えばイカ釣り用として、道糸に複数の枝糸を取付け、これらの枝糸のそれぞれに疑似餌の傘針の反対側の端部を取付けるものがある。このような仕掛けは、船から水中に垂直に沈め、上下に動かして疑似餌を踊らせ、魚やイカ等の獲物を誘うようにして使用する（例えば特許文献１参照）。
【０００３】
また、いか釣り針に複数の子孔を貫通形成し、これらの子孔の所要数を組合せて釣糸を結着し、水中における姿勢を自由に変更できるように取付けるいか釣針の取付け方法も開発されている（例えば特許文献２参照）。
【特許文献１】特開昭５６−５１９３８号公報  （第７，８図）
【特許文献２】特開昭５０−１−５４８６号公報
【発明の開示】
【発明が解決しようとする課題】
【０００４】
しかし、枝糸のそれぞれに疑似餌の一端を取付けたものは、枝糸の剛性により一端が道糸から離隔した位置に保持されるが、他端はこの枝糸を中心として自由に移動することができるため、この他端に位置する傘針（釣針）が、道糸あるいは枝糸に絡みやすく、隣接する仕掛けに絡まることも少なくない。また、いか釣り針に形成した複数の子孔を介して水中における姿勢を自由に変更できるようにしたものは、その姿勢を変更することができるとしても、釣糸に対して自由に移動することができるため、このいか釣り針の傘鉤が釣糸あるいは他の釣り針に絡まりやすい。
【０００５】
本発明は、このような事情に基づいてなされたもので、擬餌餌が絡まり難い釣用仕掛けを提供することを目的とする。
【課題を解決するための手段】
【０００６】
上記課題を解決するため、本発明によると、道糸に枝糸を介して疑似餌を取付けた釣用仕掛けであって、前記疑似餌の一端側と他端側との互いに離隔した位置に枝糸を取り付け、これらの疑似餌の一端側と他端側とのそれぞれから延びる枝糸を、互いに間隔をおいた位置で前記道糸に取付けた釣用仕掛けが提供される。
【０００７】
前記疑似餌の一端側と他端側とのそれぞれから延びる枝糸は、道糸に回動可能に取付けられることが好ましい。
【発明の効果】
【０００８】
本発明の釣用仕掛けによると、疑似餌の一端側と他端側とのそれぞれから延びる枝糸が、疑似餌を道糸から離隔させ、疑似餌が絡まり難くなる。
【０００９】
これらの枝糸が道糸に回動可能に取付けられる場合は、枝糸が道糸に巻き付くのを防止され、疑似餌が更に絡まり難くなる。
【発明を実施するための最良の形態】
【００１０】
図１および図２は、本発明の好ましい実施形態による釣用仕掛け１０を示す。  
図１にその全体を示すように、本実施形態の釣用仕掛け１０は、イカ釣りあるいは魚釣り用に適しており、道糸１２に枝糸１４ａ，１４ｂを介して疑似餌１６を取り付け、下端あるいは先端には重り１２Ａを取り付けて形成してある。図１では、道糸１２に、この道糸１２の糸長方向に所定の間隔Ｌをおいて３つの疑似餌１６が取付けられているが、これに限らず、４つ以上としてもよく、２つあるいは１つであってもよい。いずれの場合も、間隔Ｌは、道糸１２を真直ぐに伸張した状態で、隣接する疑似餌１６同士が接触しない大きさに設定することが好ましい。
【００１１】
図２に拡大して示すように、疑似餌１６はイカ角を用いており、釣りの対象とする獲物の興味を引く、例えば魚あるい海老等に外観を似せて様々な形態に形成される本体１８を有する。この本体１８は、例えば合成樹脂材料製の薄肉壁１８ａで内部空間１８ｂを密封した中空構造に形成され、図の上方に示す一端には、枝糸１４ａを取付けるためのリング状の取付部２０が設けられている。また、図の下方に示す他端には、軸部２２の周囲から傘状に複数の針２４を突出させた釣り針２６が設けられている。この釣り針２６の先端から突出するリング状の取付部２８に、枝糸１４ｂが取付けられる。
【００１２】
この疑似餌１６は、本体１８が薄肉の中空構造に形成されているため、水中で浮力を形成する。一方、釣り針２６は重りとして機能する。したがって、水中に投じられた状態では、釣り針２６が配置された側の端部を下側にして、水面直下で直立した姿勢を維持して浮くことができる。
【００１３】
取付部２０，２８から延びる枝糸１４ａ，１４ｂは合成樹脂や金属等の線材で形成されており、その先端には、例えばビーズあるいは数珠玉状の取付部材３０ａ，３０ｂを取付けられ、これらの取付部材３０ａ，３０ｂを介して道糸１２に取付けられている。これらの取付部材３０ａ，３０ｂには、道糸１２を挿通する縦孔３２と枝糸１４ａ，１４ｂを挿通する横孔３４とがそれぞれ貫通形成されている。これらの縦孔３２と横孔３４とは、後述するように道糸１２を中心として回動したときに枝糸１４ａ，１４ｂとの摩擦接触による糸切れを防止するために、少なくとも軸線が交差しない食違い状に形成することが好ましい。また、このような取付部材３０ａ，３０ｂは、例えば着色あるいは無着色の透明あるいは不透明状に形成し、形状についても、図示のような楕円体状に限らず、スリーブ状あるいは球状等、用途に応じて様々に形成することができる。
【００１４】
取付部材３０ａ，３０ｂを、例えば疑似餌１６の長さあるいは取付部２０，２８間の距離とほぼ等しい間隔をおいた位置に固定するため、道糸１２には、縦孔３２よりも大径の結び瘤あるいは膨大部で形成されたストッパｔが取付部材３０ａ，３０ｂを挟む位置に設けられている。枝糸１４ａ，１４ｂにも、道糸１２と同様に横孔３４よりも大径に形成されたストッパｂが横穴３４から突出した先端側に設けられている。枝糸１４ａ，１４ｂには、取付部材３０ａ，３０ｂから抜出るのを防止するストッパｂが、それぞれ１つづつ形成されている。このようにストッパｂを１つのみ設ける場合には、枝糸１４ａ，１４ｂの長さの調整が容易となるが、道糸１２のストッパｔと同様に、取付部材３０ａ，３０ｂを挟む状態に２つづつ設けてもよい。
【００１５】
このような取付部材３０ａ，３０ｂを介して枝糸１４ａ，１４ｂおよび疑似餌１６を道糸１２に取付けることにより、図２に矢印Ｒで示すように、縦孔３２に挿通した道糸１２を中心に、取付部材３０ａ，３０ｂを介して枝糸１４ａ，１４ｂおよび疑似餌１６が道糸１２の周方向に自由に回動することができる。金属や合成樹脂製の枝糸１４ａ１４ｂは曲げに対する剛性を有しており、疑似餌１６が回動する際に、道糸１２の回りに絡みつき難い。
【００１６】
本実施形態の釣用仕掛け１０を、水中に投じると、重り１２Ａで引かれた道糸１２が垂直方向に延設される。疑似餌１６は本体１８の浮力で浮上がろうとするが、両端部に固定された枝糸１４ａ，１４ｂの弾性により、図１および図２に示すように、枝糸１４ａ，１４ｂがほぼ水平になった状態で道糸１２との間に間隙を保持し、道糸１２とほぼ平行な垂直姿勢をとる。この状態で、釣り人が釣用仕掛け１０を上下に動かすと、疑似餌１６は枝糸１４ａ，１４ｂを介してこの垂直姿勢および間隙を維持しつつ上下動し、この疑似餌１６の動きに誘われた魚あるいはイカ等の獲物がかかりやすい。疑似餌１６の釣り針２６が、枝糸１４ｂにより、道糸１２との間に間隙を維持しつつ移動するため、道糸１２に絡み難い。このとき、疑似餌１６が垂直姿勢を維持するため、上下動する際に水から受ける抵抗が少なく、釣り人による上下動操作が容易となる。
【００１７】
また、枝糸１４ａ，１４ｂが取付部材３０ａ，３０ｂを介して、道糸１２の回りに回動可能に取付けられているため、疑似餌１６が水の抵抗を受けて道糸１２の回りに回動する場合でも、枝糸１４ａ，１４ｂが道糸１２に絡みつき難くい。このため、疑似餌１６と道糸１２との間隔がほぼ一定に保持され、疑似餌１６が絡ま難い。
【００１８】
更に、釣り針２６側の取付部２８が垂直姿勢の疑似餌１６の最も下端側に配置され、この取付部２８に枝糸１４ｂが結合されているため、疑似餌１６が上下動する際に釣り針２６にこの枝糸１４ｂが引っ掛かり難く、絡まり難い。
【００１９】
なお、上述の取付部材３０ａ，３０ｂの一方あるいは双方を省略することも可能であり、この場合には、対応する枝糸１４ａ，１４ｂを、例えば結束等により、道糸１２に回動可能あるいは回動不能に直接取付けることも可能である。
【００２０】
図３は、他の実施形態による釣用仕掛け４０を示す。なお、以下に説明する種々の実施形態あるいは変形例は図１および図２に示す上述の実施形態と基本的には同様であるため、同様な部位には同様な符号を付し、その詳細な説明を省略する。
【００２１】
図３に示す釣用仕掛け４０は、上方に配置される一端側の枝糸１４ａを、他端側すなわち釣り針２６を取付けた側の枝糸１４ｂよりも長く形成してある。この場合には、疑似餌１６は、一端側が他端側よりも道糸１２から離隔する方向に傾斜した姿勢をとる。これにより、道糸１２の糸長方向に釣用仕掛け４０を移動したときに、疑似餌１６が斜め方向に移動する等のイレギュラーな動きを行い、獲物を誘うことができる。特に、上方に配置される一端側の枝糸１４ａが他端側の枝糸１４ｂよりも長く形成することにより、疑似餌１６は、道糸１２から離れる方向に動きやすくなる。
【００２２】
図３に示す釣用仕掛け４０とは逆に、上方に示す一端側の枝糸１４ａよりも下方に示す他端側の枝糸１４ｂを長く形成してもよく、この場合には、疑似餌１６は道糸１２に近づく方向に動きやすくなる。この場合にも、疑似餌１６のイレギュラーな動きで獲物を誘うことができる。
【００２３】
更に、枝糸１４ａ，１４ｂの長さが等しい場合であっても、例えば太さあるいは材質を変えて枝糸１４ａ，１４ｂの剛性あるいは硬さに差を設けることにより、疑似餌１６の一端側と他端側とで動き易さを異ならせ、これにより疑似餌１６の複雑な動きで獲物を誘うことができる。
【００２４】
例えば、上方あるいは釣竿に近い一端側の枝糸１４ａを、太くあるいは曲げ剛性を高くすると、道糸１２の糸長方向に沿って仕掛け４０を上方に引いて動かしたときに、疑似餌１６は他端側の枝糸１４ｂが動きやすいため、これに近接する釣り針２６側を道糸１２に対して横方向に振って動くようになる。これとは逆に、枝糸１４ｂを太くあるいは曲げ剛性を高くすると、動きやすい枝糸１４ａ側の端部を振って泳動しやすくなる。
【００２５】
図４は、更に他の実施形態による釣用仕掛け５０を示す。  
この実施形態の釣用仕掛け５０は、釣り針２６が、傘状に突出させた複数の針２４の列を、軸部２２の軸方向に沿って２段に設けられている。また、枝糸１４ａ，１４ｂは道糸１２に直接結束してあり、上述の実施形態における取付部材３０ａ，３０ｂを省略してある。枝糸１４ａ，１４ｂた、道糸１２に対して回動しないため、疑似餌１６も道糸１２の回りに回動しない。
【００２６】
この釣用仕掛け５０では、釣り針２６の針２４が軸部２２の軸方向に沿って２段に設けられているため、針２４の数あるいは針２４が配置される領域が広く、獲物が掛かりやすい。また、枝糸１４ａ，１４ｂおよび擬餌針１６が回動しないため、獲物が擬餌針１６を捕らえやすくなり、針２４に触れた獲物の針掛かりがよい。
【００２７】
図５に示す釣用仕掛け６０は、図２に示す釣用仕掛け１０とほぼ同様であるが、第３の枝糸１４ｃを追加し、擬似針１６Ｂの姿勢を安定させたものである。この枝糸１４ｃを取付けるため、擬餌針１６Ｂの本体１８にリング状の取付部材３６を設け、この取付部材３６から延びる枝糸１４ｃを、取付部材３０ｃを介して道糸１２に連結してある。取付部材３６の位置は任意であるが、擬似針１６の長さの中央部や重量バランスを考慮して、重心に対応する（近傍)の位置に設けることが好ましい。
【００２８】
この釣用仕掛け６０は、疑似餌１６Ｂの水中における姿勢が安定するため、獲物がこの疑似餌１６Ｂを捉え易い。また、道糸１２に対する疑似餌１６Ｂの絡みも少なくなる。また、第３の枝糸１４ｃに代えて取付部材３６に釣り針（図示しない）を取付けて獲物の掛かりをよくすることもできる。
【００２９】
図６に示す釣用仕掛け７０は、図５に示す釣用仕掛け６０とほぼ同様であるが、枝糸１４ｂを省略したものである。この釣用仕掛け７０は、枝糸１４ｃが釣り針２６よりも上方に配置され、釣り針２６の周部に枝糸が配置されないため、獲物の針掛かりが良い。なお、最も下端の取付部２８は省略することも可能である。また、針２４を複数段にわたって設けることもできる。
【００３０】
図７に示す釣用仕掛け８０は、図２の釣用仕掛け１０とほぼ同様であるが、道糸１２に取付ける枝糸１４ａ，１４ｂの位置すなわち取付部材３０ａ，３０ｂを、疑似餌１６の全長ｄよりも長い間隔Ｄで取付けてある。
【００３１】
この間隔Ｄと疑似餌１６の全長ｄとの関係については、間隔Ｄの大きさが全長ｄよりも小さくなると、疑似餌１６姿勢が不安定となり、イレギュラーな動きをするようになる。そして、間隔Ｄを更に小さくすると不安定さが増し、間隔Ｄがゼロに近づくと疑似餌１６が道糸１２に絡むようになる。
【００３２】
したがって、疑似餌１６の水中における姿勢を安定させるために、間隔Ｄの大きさを少なくとも全長ｄの半分以上とし、更には、全長ｄ以上とすることが好ましい。
【００３３】
図８に示す釣用仕掛け９０は、疑似餌１６Ｃ内に枝糸１４を挿通したもので、１本の枝糸１４で道糸１２に取付けられる。上述の実施形態における取付部３０ａ，３０ｂを省略することができる。
【００３４】
この疑似餌１６Ｃは、釣り針２６を取付ける軸部２２を、本体１８の一端から釣り針２６を配置した他端にわたる全長に沿って延設し、この軸部２２の内側に枝糸１４を挿通したものである。軸部２２は、その全長にわたって中空構造に形成され、開口端が疑似餌１６Ｃの一端側および他端側で外部に露出している。この枝糸１４の疑似餌１６Ｃから延出する部位に形成したストッパｂが、枝糸１４の糸長に沿って疑似餌１６Ｃが移動するのを防止する。
【００３５】
この釣用仕掛け９０では、疑似餌１６Ｃに枝糸１４を結びつける必要がなく、また、複数本の枝糸を準備することなく、１本の枝糸１４で疑似餌１６Ｃを道糸１２に取付けることができる。
【００３６】
枝糸はモノフィラメント状でも、マルチフィラメント状でもよく、また、複数本の枝糸を並設して枝糸１４を形成してもよい。
【００３７】
以上、種々の実施形態および変形例について説明してきたが、本発明の釣用仕掛けいずれか１つの実施形態あるいは変形例に限定されるものではなく、それぞれ適宜に変更し、組合せ可能なことは明らかである。また、上述の釣用仕掛けは、水中に垂直方向に沈下させて使用するだけでなく、水面に沿って水平方向に配置した状態で使用することも可能である。また、疑似餌の本体は、上述のような中空構造だけでなく、その全体を発泡材で形成することも可能である。
【図面の簡単な説明】
【００３８】
【図１】本発明の好ましい実施形態による釣用仕掛けの全体図。
【図２】図１の釣用仕掛けの疑似餌を取付けた部位の説明図。
【図３】他の実施形態による釣用仕掛けの図２と同様な説明図。
【図４】更に他の実施形態による釣用仕掛けの図２と同様な説明図。
【図５】３本の枝糸を介して疑似餌を道糸に取付けた釣用仕掛けの説明図。
【図６】図５に示す３本の枝糸から１本の枝糸を省略した釣用仕掛けの説明図。
【図７】疑似餌の長さより広い間隔で道糸に対して枝糸を取付けた釣用仕掛けの説明図。
【図８】１本の枝糸で疑似餌を道糸に取付けた釣用仕掛けの説明図。
【符号の説明】
【００３９】
１０，４０，５０，６０，７０，８０，９０…釣用仕掛け、１２…道糸、１４，１４ａ，１４ｂ，１４ｃ…枝糸、１６，１６Ａ，１６Ｂ，１６Ｃ…疑似餌。
【図１】
0004728876.tif 000002
【図２】
0004728876.tif 000003
【図３】
0004728876.tif 000004
【図４】
0004728876.tif 000005
【図５】
0004728876.tif 000006
【図６】
0004728876.tif 000007
【図７】
0004728876.tif 000008
【図８】
0004728876.tif 000009